(57)【要約】      （修正有）【課題】動作信頼性の高いシリンダ錠セットを提供する。【解決手段】タンブラピン１、および中間タンブラ２を備えたプラグ３をシリンダケース４に挿入して形成され、プラグの初期回転位置においてシリンダケースに装着されたドライブピン５により中間タンブラを介してタンブラピンをプラグ中心方向に付勢するシリンダ錠と、常用キー７Ａ、および非常キー７Ｂとを有し、常用キーには、プラグへの挿入時に中間タンブラとドライブピンとの境界をプラグとシリンダケースとの回転境界に対応させてプラグの回転を可能にする解錠凹部１０が、非常キーには、中間タンブラ２の掬い部をプラグとシリンダケースとの回転境界に対応させる解錠凹部が各々設けられ、非常キーによるプラグへの回転操作による嵌合凹部９への嵌合動作後にプラグを初期回転位置に復帰させた際に、ドライブピンにより回転境界を閉塞して常用キー、および非常キーによる回転操作を禁止する。【選択図】図８
2015101945.tif 000002
【特許請求の範囲】
【請求項１】
タンブラピン、および中間タンブラを備えたプラグをシリンダケースに挿入して形成され、プラグの初期回転位置においてシリンダケースに装着されたドライブピンにより中間タンブラを介してタンブラピンをプラグ中心方向に付勢するシリンダ錠と、
常用キー、および非常キーとを有し、
前記中間タンブラには、プラグとシリンダケースとの回転境界に位置した状態でのプラグへの回転操作により発生する分力により回転境界からの退避操作力を得る掬い部が設けられるとともに、プラグ外周には、該プラグが所定角度回転した際に中間タンブラが嵌合する嵌合凹部が設けられ、
かつ、前記常用キーには、プラグへの挿入時に前記中間タンブラとドライブピンとの境界をプラグとシリンダケースとの回転境界に対応させてプラグの回転を可能にする解錠凹部が、前記非常キーには、前記中間タンブラの掬い部をプラグとシリンダケースとの回転境界に対応させる解錠凹部が各々設けられ、
非常キーによるプラグへの回転操作による中間タンブラの嵌合凹部への嵌合動作後にプラグを初期回転位置に復帰させた際に、ドライブピンにより回転境界を閉塞して常用キー、および非常キーによる回転操作を禁止するシリンダ錠セット。
【請求項２】
前記タンブラピンの端部をプラグとシリンダケースとの回転境界に位置させる解錠凹部を備えた一時キーを有する請求項１記載のシリンダ錠セット。
【請求項３】
前記中間タンブラが球形状に形成される請求項１または２記載のシリンダ錠セット。
【請求項４】
自動販売機本体に係脱するロック部を備えて自動販売機の扉に固定されるハンドルケースと、
ハンドルケースに引き出し、および回転可能に挿入され、押し込み姿勢において取手部をハンドルケースの取手嵌合凹部に嵌合して回転操作が規制されるとともに、ハンドルケースからの引き出し姿勢における回転操作により前記ロック部をロック、アンロック位置に移動させるハンドル部と、
ハンドル部に収容され、施錠状態においてハンドル部のハンドルケースからの引き出し操作を規制する請求項１、２または３記載のシリンダ錠とを有するハンドル錠。
【発明の詳細な説明】
【技術分野】
【０００１】
本発明はシリンダ錠セットに関するものである。
【背景技術】
【０００２】
常用の解錠キーに加えて非常用の解錠キーによる解錠操作が可能で、非常用の解錠キーによる解錠操作の履歴が残るシリンダ錠セットとしては、特許文献１に記載のものが知られている。
【０００３】
この従来例において、プラグにはコードピンに加えてロック用コードピンが装着されるとともに、シリンダケース側にドライバピンとロック用ドライバピンが装着され、シリンダ錠を操作するための常用キーには、コードピンとロック用コードピンとをプラグのシリンダケースとの回転境界を開放する位置に導く解錠凹部が設けられる。
【０００４】
これに対し、非常キーには、コードピンを回転境界開放位置に導く解錠凹部と、ロック用コードピンを嵌合するための嵌合凹部とが設けられる。
【０００５】
以上の構成の下、常用キー、および非常キーのいずれを挿入した状態においてもコードピンとロック用コードピンの双方はプラグとシリンダケースとの回転境界を閉塞することがないために、プラグへの回転操作が許容されるが、非常キーを使用してプラグを回転させ、ロック用コードピンがロック用ドライバピンに正対する位置まで移動すると、ロック用コードピンが嵌合凹部に嵌合するために、ロック用ドライバピンが回転境界を閉塞し、以後、プラグの回転が規制され、かつ非常キーの抜去も規制されることから、非常キーの使用履歴を知ることができる。
【先行技術文献】
【特許文献】
【０００６】
【特許文献１】特開２０１３-１２４４９６号公報
【発明の概要】
【発明が解決しようとする課題】
【０００７】
しかし、上述した従来例は、非常キーを使用して予め設定された解錠角度まで達すると、以後、回転操作が不可能となるために、以下の問題がある。
【０００８】
すなわち、錠装置は、一般にプラグへの回転操作を適宜のロック装置に伝達することによりロック装置の施錠、解錠状態を変更するように構成され、シリンダ錠とロック装置とは個別に所定位置に配置、固定されるために、プラグの解錠回転操作角度とロック装置の解錠状態への遷移動作の間には、部品自体、あるいは取り付け位置の誤差に基づくばらつきが発生する。
【０００９】
したがって、上述した従来例において、ロック用コードピンがロック装置のストローク不足側で非常キーの嵌合凹部に落ち込み、プラグの回転が規制されると、ストローク不足により解錠操作が不可能になり、オーバーストローク側で固定されると、シリンダを抜去不能位置まで回転させることなくロック操作を解錠操作することが可能になるために、常用キーと同様に使用することが可能になってしまうという問題が発生する。
【００１０】
本発明は、以上の欠点を解消すべくなされたものであって、動作信頼性の高いシリンダ錠セットの提供を目的とする。また、本発明の他の目的は、上述したシリンダ錠セットを利用したハンドル錠の提供にある。
【課題を解決するための手段】
【００１１】
本発明によれば上記目的は、
タンブラピン１、および中間タンブラ２を備えたプラグ３をシリンダケース４に挿入して形成され、プラグ３の初期回転位置においてシリンダケース４に装着されたドライブピン５により中間タンブラ２を介してタンブラピン１をプラグ３中心方向に付勢するシリンダ錠６と、
常用キー７Ａ、および非常キー７Ｂとを有し、
前記中間タンブラ２には、プラグ３とシリンダケース４との回転境界に位置した状態でのプラグ３への回転操作により発生する分力により回転境界からの退避操作力を得る掬い部８が設けられるとともに、プラグ３外周には、該プラグ３が所定角度回転した際に中間タンブラ２が嵌合する嵌合凹部９が設けられ、
かつ、前記常用キー７Ａには、プラグ３への挿入時に前記中間タンブラ２とドライブピン５との境界をプラグ３とシリンダケース４との回転境界に対応させてプラグ３の回転を可能にする解錠凹部１０が、前記非常キー７Ｂには、前記中間タンブラ２の掬い部８をプラグ３とシリンダケース４との回転境界に対応させる解錠凹部１０が各々設けられ、
非常キー７Ｂによるプラグ３への回転操作による中間タンブラ２の嵌合凹部９への嵌合動作後にプラグ３を初期回転位置に復帰させた際に、ドライブピン５により回転境界を閉塞して常用キー７Ａ、および非常キー７Ｂによる回転操作を禁止するシリンダ錠セットを提供することにより達成される。
【００１２】
シリンダケース４内に挿入されるプラグ３には、タンブラピン１と、該タンブラピン１のプラグ３遠心方向端部に積層される中間タンブラ２とが装着され、これらタンブラピン１、および中間タンブラ２は、プラグ３が初期回転位置にあるときにシリンダケース４内に配置されるドライブピン５の移動方向線上に位置してプラグ３中心方向に付勢される。
【００１３】
シリンダ錠６の運用には、通常の操作に使用する常用キー７Ａと、非常時に使用される非常キー７Ｂとが使用され、常用キー７Ａを挿入した状態で中間タンブラ２とドライブピン５との境界がプラグ３とシリンダケース４との境界に一致するために、プラグ３への回転操作が可能になり、解錠操作をすることができる。
【００１４】
これに対し、プラグ３に非常キー７Ｂを挿入した状態においては、中間タンブラ２に形成される掬い部８がプラグ３とシリンダケース４との回転境界を閉塞する。この状態でプラグ３に回転操作力が加えると、中間タンブラ２は掬い部８に発生するプラグ３遠心方向への分力によりシリンダケース４内に退避して回転境界を開放し、プラグ３への回転操作が許容され、解錠回転位置への回転操作が許容される。
【００１５】
さらに、プラグ３には、所定角度、例えば、予め設定された解錠角度までプラグ３を回転させた際にシリンダケース４側のドライブピン５に正対する嵌合凹部９が設けられており、当該位置までプラグ３を回転操作して解錠操作が完了すると、中間タンブラ２はドライブピン５に押されて嵌合凹部９に嵌合する。非常キー７Ｂによる解錠操作を行って非常キー７Ｂを抜去した後、再度非常キー７Ｂ、あるいは常用キー７Ａを挿入しても、中間タンブラ２が嵌合凹部９に移動しているために、ドライブピン５がプラグ３内に進入してプラグ３の回転境界を閉塞するために、プラグ３への回転操作が禁止される。
【００１６】
したがって本発明において、非常キー７Ｂを使用して解錠操作を行い、一旦抜去すると、常用キー７Ａ、非常キー７Ｂのいずれによる解錠操作が不能となるために、非常キー７Ｂの使用履歴を残すことが可能になる。また、非常キー７Ｂを使用した場合であっても、プラグ３への回転操作が可能であるために、錠装置側の解錠位置にばらつきが発生し、あるいは設定そのものが相違していても、確実に解錠操作を行うことが可能になる。
【００１７】
また、常用キー７Ａと非常キー７Ｂに加え、
前記タンブラピン１の端部をプラグ３とシリンダケース４との回転境界に位置させる解錠凹部１０を備えた一時キー７Ｃを併用して運用すると、非常キー７Ｂの使用により一旦回転不能になったプラグ３を一時キー７Ｃにより解錠操作することが可能になるために、利便性が向上する。
【００１８】
中間タンブラ２には、短寸のピン状タンブラを使用することも可能であるが、球形状に形成すると、並進移動に加え、転動による移動も期待できるために、非常キー７Ｂを使用した際の中間タンブラ２の回転境界開放動作が容易になり、円滑な操作を達成でき、かつ、プラグ３のタンブラ挿入孔内での中間タンブラ２の傾倒による作動不良を完全に防止することが可能になる。
【００１９】
さらに、上述したシリンダ錠６を使用したハンドル錠は、
自動販売機本体に係脱するロック部１１を備えて自動販売機の扉に固定されるハンドルケース１２と、
ハンドルケース１２に引き出し、および回転可能に挿入され、押し込み姿勢において取手部１３をハンドルケース１２の取手嵌合凹部１４に嵌合して回転操作が規制されるとともに、ハンドルケース１２からの引き出し姿勢における回転操作により前記ロック部１１をロック、アンロック位置に移動させるハンドル部１５と、
ハンドル部１５に収容され、施錠状態においてハンドル部１５のハンドルケース１２からの引き出し操作を規制するシリンダ錠６とを有して構成することができる。
【００２０】
本発明において、一般に自動販売機の設置、管理者により管理されている非常キー７Ｂによる使用履歴が残るために、商品、あるいは販売金額の減少の原因を、例えば、災害時等における自動販売機の設置、管理者の意思によるものと、盗難等の不正操作によるものとを確実に峻別することが可能になる。
【発明の効果】
【００２１】
本発明によれば、非常キーを拘束した後でもプラグへの回転操作が許容されるために、ロック装置に対するロック解除動作の信頼性を高めることができる。
【図面の簡単な説明】
【００２２】
【図１】ハンドル錠を示す図で、（ａ）は正面図、（ｂ）は側面図である。
【図２】解錠状態のハンドル錠を示す図で、（ａ）は正面図、（ｂ）は側面図である。
【図３】ストッパ杆を示す図で、（ａ）は施錠状態における図１の３Ａ-３Ａ線断面図、（ｂ）は解錠状態を示す断面図である。
【図４】シリンダ錠を示す図で、（ａ）は正面図、（ｂ）は側面図、（ｃ）は（ａ）の４Ｃ-４Ｃ線断面図である。
【図５】解錠キーを示す図で、（ａ）は常用キーを示す正面図、（ｂ）は（ａ）の５Ｂ-５Ｂ線断面図、（ｃ）は非常キーを示す正面図、（ｄ）は（ｃ）の５Ｄ-５Ｄ線断面図、（ｅ）は一時キーを示す正面図、（ｆ）は（ａ）の５Ｆ-５Ｆ線断面図である。
【図６】常用キーを使用した場合の特殊タンブラ部の状態を示す図で、（ａ）はプラグの初期回転位置を示す図、（ｂ）は解錠回転位置を示す図である。
【図７】非常キーを使用した場合の特殊タンブラ部の状態を示す図で、（ａ）はプラグの回転初期を示す図、（ｂ）はプラグの回転初期を示す図、（ｃ）は解錠回転位置を示す図である。
【図８】非常キー使用後の特殊タンブラ部の状態を示す図で、（ａ）は常用キーを挿入した状態を示す図、（ｂ）は非常キーを挿入した状態を示す図、（ｃ）は一時キーを挿入した状態を示す図である。
【発明を実施するための形態】
【００２３】
図１以下に自動販売機用のシリンダ錠セットして構成された本発明の実施の形態を示す。
【００２４】
シリンダ錠セットは、図１に示すハンドル錠（Ａ）に組み込まれるシリンダ錠６と、図５に示す解錠キー７とから構成される。ハンドル錠（Ａ）は、自動販売機の扉に固定されて該扉を施錠するために使用され、図外の自動販売機扉に固定されるハンドルケース１２と、ハンドルケース１２内に格納されるハンドル部１５と、ハンドルケース１２の後端に配置されてハンドル部１５への回転操作により回転するロック部１１とを有し、ロック状態において、ロック部１１を自動販売機本体側に固定されるストライク（図示せず）に係止させることにより扉の開放操作が規制される。
【００２５】
ハンドル部１５は前端部に取手部１３を有しており、該ハンドル部１５のロック状態は、図１に示すように、取手部１３をハンドルケース１２の取手嵌合凹部１４内に没入させることによって取手部１３への操作を不能にすることにより実現される。また、図外の圧縮スプリングにより突出方向に付勢されるハンドル部１５は、図３（ａ）に示すように、ストッパ杆１６をハンドルケース１２に形成された係止孔１２ａに係止させることにより没入位置が維持される。
【００２６】
ロック状態の解除は、ハンドル部１５に装着されたシリンダ錠６を解錠キー７を使用して操作することにより行われ、シリンダ錠６を解錠操作すると、まず、シリンダ錠６のプラグ３に連結されたカム１７が回転し、ストッパ杆１６が圧縮スプリング１６ａの反力に抗して係止孔１２ａからの離脱方向に移動する。ストッパ杆１６が係止孔１２ａから離脱して係止が解除されると、上述した圧縮スプリングの反力によりハンドル部１５は前方に移動し、以後、ハンドル部１５を掴んだロック解除操作が可能になる。
【００２７】
図４に示すように、シリンダ錠６は、シリンダケース４内にプラグ３を挿入して形成される。プラグ３には解錠キー７を挿入するキー挿入溝３ａが長手通しに開設されるとともに、該キー挿入溝３ａに進退するように、所定ピッチで適数のタンブラピン１が挿入される。
【００２８】
本例において、プラグ３は、適数のタンブラピン１をプラグ３の長手方向に沿って一直線状に配置した２列のタンブラ列を有しており、各タンブラ列内のタンブラピン１は、キー挿入溝３ａを挟んで反対方向からキー挿入溝３ａに進退する。
【００２９】
また、プラグ３内のタンブラピン１に対応してシリンダケース４内には圧縮スプリング３ｂによりプラグ３中心方向に付勢されるドライブピン５が配置されており、解錠キー７を挿入しない状態において、各タンブラピン１は対応するドライブピン５に押されてプラグ３中心部に移行する。この結果、プラグ３とシリンダケース４との回転境界はドライブピン５により遮られて閉塞されるために、プラグ３に対する回転操作が規制される。
【００３０】
これに対し、図４（ｃ）に示すように、所定の解錠凹部１０が設けられた解錠キー７を挿入すると、各タンブラピン１は、解錠キー７に押されてドライブピン５との境界がプラグ３とシリンダケース４との回転境界に位置するまで移動して回転境界が開放され、以後、プラグ３に対する回転操作が可能になる。各タンブラピン１のプラグ３中心側の端部には、解錠凹部１０に嵌合した状態のタンブラピン１に解錠キー７の挿入操作力によりプラグ３径方向への分力を付与し、解錠キー７の挿入を可能にするテーパ面１ａが形成される。
【００３１】
図５に示すように、解錠キー７の解錠凹部１０は各タンブラピン１に対応して設けられ、２列のタンブラ列を有する本例において、各タンブラ列に対応する２列に加え、この挿入姿勢に対して解錠キー７を表裏反転させた状態での使用を可能にするために、解錠キー７の断面中心に対する点対称位置にさらに２列を配置して合計４列が形成される。
【００３２】
さらに、図４（ｃ）に示すように、一方のタンブラ列の最後端にはタンブラピン１とドライブピン５との間に球形の中間タンブラ２を介装した特殊タンブラ部１８が形成される。図６（ａ）に示すように、特殊タンブラ部１８におけるドライブピン５、中間タンブラ２、およびタンブラピン１は、プラグ３が初期回転位置（施錠回転位置）にあるときに一直線上に配置される。
【００３３】
また、図６（ｂ）に示すように、プラグ３の外周には、該プラグ３が解錠回転位置まで回転した際にドライブピン５に正対する嵌合凹部９が設けられる。嵌合凹部９は、ドライブピン５に比して小径で、かつ、図７（ｃ）に示すように、中間タンブラ２に比して大径に形成される。
【００３４】
以上のように構成されるシリンダ錠６を施解錠操作するために、通常の運用時に使用される常用キー７Ａと、非常時に使用される非常キー７Ｂ、および非常キー７Ｂによる解錠操作後に使用される一時キー７Ｃとが用意される。これら常用キー７Ａ、非常キー７Ｂ、および一時キー７Ｃは、特殊タンブラ部１８に対応する解錠凹部１０のみが相違し、残余の解錠凹部１０のすべてが同一に形成される。
【００３５】
図６は常用キー７Ａを挿入した場合の特殊タンブラ部１８におけるタンブラピン１の状態を示すもので、常用キー７Ａの挿入により、ドライブピン５により中心方向に付勢されたタンブラピン１は常用キー７Ａの解錠凹部１０により遠心方向に押し出される。この結果、中間タンブラ２とドライブピン５との境界がプラグ３とシリンダケース４との回転境界に位置することから該回転境界が開かれ、図６（ｂ）に示す解錠回転位置まで、常用キー７Ａを使用してプラグ３を回転させることが可能になる。
【００３６】
上述したように、嵌合凹部９は、ドライブピン５に比して小径に形成されているために、解錠回転位置において嵌合凹部９に正対するドライブピン５は嵌合凹部９に落ち込むことなく、回転境界の開放状態は保持される。
【００３７】
これに対し、非常キー７Ｂには、図７に示すように、プラグ３に挿入された際に、中間タンブラ２をプラグ３とシリンダケース４との回転境界を閉塞する位置まで押し上げる深さの解錠凹部１０が設けられる。この状態で非常キー７Ｂに回転操作力を付与してプラグ３を回転させると、図７（ａ）に示すように、回転境界を遮る中間タンブラ２は、プラグ３に形成されるタンブラ装着溝３ｃの開口端に当接する。
【００３８】
非常キー７Ｂの解錠凹部１０は、中間タンブラ２の高さ、正確には、タンブラ装着溝の開口端との当接点（２Ｐ）の高さを、図７（ａ）の状態からさらにプラグ３に回転操作力を付与した際に、タンブラ装着溝３ｃの開口端との当接点（２Ｐ）に作用する力によって中間タンブラ２に上方への並進方向分力（Ｃt）、あるいは上方への転動モーメント（Ｃm）が発生する範囲（掬い部８）に保持するように設定されている。
【００３９】
したがって本例において、非常キー７Ｂを使用してプラグ３を回転操作すると、中間タンブラ２は、図７（ａ）の状態、すなわち、一旦プラグ３とシリンダケース４との回転境界を閉塞した後、掬い部８に発生する分力によりシリンダケース４内に退避して回転境界が開放され、結果、図７（ｂ）に示すように、プラグ３への回転操作が可能になる。この後、さらに、プラグ３を解錠回転位置まで回転させると、ドライブピン５の移動経路上に嵌合凹部９が位置し、ドライブピン５によりプラグ３中心方向に付勢される中間タンブラ２が嵌合凹部９に嵌合する（図７（ｃ）参照）。
【００４０】
この状態で再びプラグ３を初期回転位置まで回転させて非常キー７Ｂを抜去し、さらに、図８（ａ）に示すように、常用キー７Ａを挿入すると、ドライブピン５がプラグ３側に進入してプラグ３とシリンダケース４との回転境界を閉塞するために、プラグ３への解錠回転操作が禁止され、さらに、再び非常キー７Ｂを挿入した場合にも、図８（ｂ）に示すように、中間タンブラ２の介装が解除された結果、ドライブピン５による回転境界の閉塞が行われ、プラグ３への回転操作が禁止される。
【００４１】
さらに、本例において、シリンダ錠セットには一時キー７Ｃを含めることができる。一時キー７Ｃは、図８（ｃ）に示すように、プラグ３に挿入した際に、タンブラピン１をドライブピン５の付勢力に抗して移動させ、タンブラピン１とドライブピン５との境界をプラグ３とシリンダケース４との回転境界に位置させる深さの解錠凹部１０を有しており、常用キー７Ａ、および非常キー７Ｂによる回転操作が不能になった状態のシリンダ錠６を回転操作することができる。
【００４２】
したがって本例において、シリンダ錠６の交換に際して一旦扉の開放を要する構造をとる場合でも、一時キー７Ｃによる扉開放が可能なために、円滑なシリンダ錠６交換を行うことができる。
【符号の説明】
【００４３】
１        タンブラピン
２        中間タンブラ
３        プラグ
４        シリンダケース
５        ドライブピン
６        シリンダ錠
７Ａ      常用キー
７Ｂ      非常キー
７Ｃ      一時キー
８        掬い部
９        嵌合凹部
１０      解錠凹部
１１      ロック部
１２      ハンドルケース
１３      取手部
１４      取手嵌合凹部
１５      ハンドル部
Ａ        ハンドル錠
【図１】
2015101945.tif 000003
【図２】
2015101945.tif 000004
【図３】
2015101945.tif 000005
【図４】
2015101945.tif 000006
【図５】
2015101945.tif 000007
【図６】
2015101945.tif 000008
【図７】
2015101945.tif 000009
【図８】
2015101945.tif 000010